Podtech/llm-jp-corpus-v4-ja_patent huggingface dataset:
(57)【要約】【課題】  各種ファイル、特にチューブファイル等、多量の書類を綴じ込んだファイルにおいて、分類ごとの仕切を視覚的に、より明確にするとともに必要に応じて仕切紙に複数の見出しを同時に表示可能にすることで書類検索及び加除等の取扱い時間を短縮し業務の効率化に貢献しようとするものである。【解決手段】  仕切紙の幅について、綴じ込み書類の幅より右片側のみを１ｃｍ程度広くすることにより、視覚的に仕切を従来のものに比べ明確にするとともに広くした部部分（綴じ込み書類の幅より突出した部分）が縦方向に長いことから必要次第で大分類用見出し・中分類用見出し・小分類用見出し・年月日等多くの情報を表示することが出来るようにする。【選択図】図１
0003133100.tif 000002
【実用新案登録請求の範囲】
【請求項１】
綴じ込み書類（Ａ４サイズ等）の用紙サイズに比べ、仕切紙の幅を右片側のみ１ｃｍ程度広くする。広くする箇所はシート右側の上端から始まり、シート縦長寸法の７５％程度とし、残りの２５％は綴じ込み書類と同じ幅とする。幅広部分の下端部はシート横線に対し３０度勾配（右肩上がり）とする。
【請求項２】
前記請求事項１に記載の幅広部分は、大分類用見出し、中分類用見出し、小分類用見出し等複数の見出しを同時に表示する等多くの情報を表示出来るようにして有効なインデックスとして使用する。
【考案の詳細な説明】
【技術分野】
【０００１】本考案は、ファイルに綴じた書類について、分類ごとの仕切状況をこれまで流通しているもの以上に視覚的に格段に明確にするとともに仕切紙と一体のインデックス部分に複数の見出しを同時に表示することが出来るようにして事務の能率向上を図るようにしたものである。
【背景技術】
【０００２】これまで流通している仕切紙は、綴じ込み書類と同じサイズであり、かつ、通常のインデックスサイズ部分のみが広くなっていることから視覚的に仕切状況が不十分であり、精神的に安定感が得られなかった。また、インデックス部分が狭いことから同時に複数の見出しを表示する等多くの情報を表示することが出来なかった。
【考案の開示】
【考案が解決しようとする課題】
【０００３】各種ファイル、特にチューブファイル等、多量の書類を綴じ込んだファイルにおいては、分類ごとの仕切状況を明確にすること及び必要に応じて仕切紙自体に複数の見出しを同時に表示出来ることが業務等の能率向上を図る手段となるが、従来の仕切紙ではこれを満足させることが出来ないという難点があった。本考案は、この課題を解消するためになされたものである。
【課題を解決するための手段】
【０００４】仕切紙の幅について、綴じ込み書類の幅より右片側の大部分を１ｃｍ程度広くすることにより、従来のものに比べ仕切状況が視覚的にかなり明確になるようにした。また、広くした部分（綴じ込み書類の幅より突出した部分）が縦方向に長いことから必要次第で、大分類用見出し・中分類用見出し・小分類用見出し・年月日等多くの情報を同時に表示することが出来るようにした。
【考案の効果】
【０００５】一般的な紙ファイル、チューブファイル等において、分類ごとに仕分けされた綴じ込み書類について、視覚的に仕切状況を従来のものに比べ格段に明確化することが出来る。
また、仕切紙の右端を１ｃｍ程度広くした部分（綴じ込み書類の幅より突出した縦方向に長い部分）には、綴じ込み担当者の必要次第で大分類用見出し・中分類用見出し・小分類用見出し・年月日等多くの情報を表示することが出来るなど活用が広められる。
このことにより、一目でファイル全体の構成を理解することが出来る効果がある。
【実施例】
【０００６】仕切紙右片側の全てを広くするとファイルを指で捲る際に捲りにくくなるので仕切紙縦寸法について上端から７５％程度のみを広くする。残り下部の２５％部分は綴じ込み書類と同じ幅とする。
仕切紙のサイズは、綴じ込み書類のサイズに応じて日本工業規格Ａ列４番、Ｂ列５番、その他の用紙サイズを元にして右端を１ｃｍ程度広げたサイズとする。ファイルの形態次第で縦方向或いは横方向の仕切紙を揃えて用いることとする。【０００７】仕切紙の材質等については、一般に流通している書類封筒の紙質が取扱い上適当であり、一例として一般的な書類封筒（Ａ４サイズ対応の茶封筒等）を切り開いて本考案に係る仕切紙を作成する場合、封筒１枚で仕切紙２枚が切り出せる。
【図面の簡単な説明】
【図１】本考案の仕切紙全体図である。
【図２】本考案のインデックス部分の拡大図である。
【図１】
0003133100.tif 000003
【図２】
0003133100.tif 000004
【手続補正書】
【提出日】平成19年1月19日(2007.1.19)
【手続補正１】
【補正対象書類名】実用新案登録請求の範囲
【補正対象項目名】全文
【補正方法】変更
【補正の内容】
【実用新案登録請求の範囲】
【請求項１】
綴じ込み書類の用紙サイズに比べ、ファイル仕切紙の幅を右片側のみ上端からシート縦長寸法の７５％程度について１ｃｍ程度広くし、残りの２５％程度は綴じ込み書類と同じ幅とする。
【請求項２】
請求項１に記載の幅広部分は、大分類用見出し、中分類用見出し、小分類用見出し等複数の見出しを同時に表示する等多くの情報を表示出来るようにしたファイル仕切紙。
【手続補正書】
【提出日】平成19年3月29日(2007.3.29)
【手続補正１】
【補正対象書類名】実用新案登録請求の範囲
【補正対象項目名】全文
【補正方法】変更
【補正の内容】
【実用新案登録請求の範囲】
【請求項１】
綴じ込み書類の用紙サイズに比べ、ファイル仕切紙の幅を右片側のみ上端からシート縦長寸法の７５％程度について１ｃｍ程度広くし、残りの２５％程度は綴じ込み書類と同じ幅にしたことを特徴とする複数の見出しを同時に表示出来るインデックスと一体型のファイル仕切紙。
【請求項２】
前記幅広部分は、大分類用見出し、中分類用見出し、小分類用見出し等多くの情報を同時に表示出来るようにしたことを特徴とする請求項１に記載の複数の見出しを同時に表示出来るインデックスと一体型のファイル仕切紙。
(57)【要約】      （修正有）【課題】直下型地震で食器棚等に食器が入れてあるとき棚板が跳ね上がり、転げて、割れたり落ちたりしない。【解決手段】棚板の後方下側にダボが、丁度埋まる程の長い大きな穴を彫り、そこに跳ね上がり防止金具５をとりつけて木ネジ６で簡単に固定できる。棚板が跳ね上がらないし、しかも、前側のダボより後ろが深い穴であるから、必ず後ろに傾き，棚の上にのせた物が後ろに転げて前に、落ちてこないので安全である。【選択図】図３
0003133097.tif 000002
【実用新案登録請求の範囲】
【請求項１】
棚板後方の下側に後方はね上がり防止金具を取り付けたもの
【請求項２】
棚板の後方のダボが隠れるように前方より深く穴を掘るため棚をダボの上にのせたとき、水平線より後ろが下に傾くこと
【考案の詳細な説明】
【考案の詳細な説明】
【技術分野】  従来棚板がすべり落ちないように棚板の下に棚板がダボに載るように半円の穴を彫っていたが、後側だけをダボ穴を大きく彫って３度くらい傾いたものもある
【背景技術】  従来棚板の下側でダボの当たる所を棚板が前にすべり落ちないように半円の穴をくったりしていたが、棚板が後ろ側に少し傾くように、後ろ側のダボの乗るところを大きな半円に彫ることもしていた
【考案が解決仕様とする課題】
数年前安芸灘地震で広島地方は直下型地震に見舞われて、食器棚の棚が飛び上がり、中にあった食器類が殆ど倒れて前に落ちたことがある
【課題を解決する為の手段】
棚板の後方が跳ね上がらない為に後ろ側のダボを固定する為に、棚板に金具を取り付けてダボを囲みこむようにした物で、棚板の前側が跳ね上がった場合は、中に有る食器類などは後ろに倒れて、前に転がり落ちない
【考案を実施するための最良の形態】  棚板の裏側後方にダボが全部埋まりこむ  穴を彫り、跳ね上がり防止の金具を取り付けたものです
【考案の詳細な説明】
【実施例】  食器棚・サイドボード・飾り棚  等の棚板に使用
【考案の効果】
棚板が跳ね上がらないことと、後ろ側が水平線より少し傾く為に、中に  入れてあるもので丸い形の物が後ろに転げて前に落ちてこない、前回の地震のときは、食器類が前に倒れそれで、扉が押し開けたために殆ど落ちて壊れたが、その心配が要らなくなる
【図面の簡単な説明】
【図１】  従来の棚板の実施図の側面図
【図２】  改良された棚板、  水平より少し下に傾いている側面図
【図３】  本考案の棚板の後ろ下側に跳ね上がり防止金具を取り付けた側面図  水平より少し下に傾いているところ
【図４】  棚板を裏返して跳ね上がり防止金具を付けたところ
【符号の説明】
１．棚板の側面
２  半円型に掘り込んだダボ穴
３  傾斜をつけるために後ろ側のだぼ穴を前より大きく彫ったもの
４  本考案のダボが  入る穴
５  本考案の跳ね上がり防止金具
６  金具を取り付けるための木ネジ
７  水平線を示した物で、棚板が少し下に傾いたところである
【図１】
0003133097.tif 000003
【図２】
0003133097.tif 000004
【図３】
0003133097.tif 000005
【図４】
0003133097.tif 000006
【手続補正書】
【提出日】平成18年12月20日(2006.12.20)
【手続補正１】
【補正対象書類名】実用新案登録請求の範囲
【補正対象項目名】全文
【補正方法】変更
【補正の内容】
【実用新案登録請求の範囲】
【請求項１】
0003133097.tif 000007
【手続補正書】
【提出日】平成19年3月17日(2007.3.17)
【手続補正１】
【補正対象書類名】実用新案登録請求の範囲
【補正対象項目名】全文
【補正方法】変更
【補正の内容】
【実用新案登録請求の範囲】
【請求項１】
食器棚・サイドボード・飾り棚の棚板後方の下側にはね上がり防止金具コの字型（図面番号５）を取り付けた棚板
【請求項２】
食器棚・サイドボード・飾り棚の棚板の後方のダボが隠れるように前方より深く穴を掘るため棚板をダボの上にのせたとき、水平線が前より後方が４度〜５度下に傾くことになるようにした、はね上がり防止金具つき棚板
(57)【要約】【課題】プラスチック製や木製などの滑りやすい柄の傘や杖は、銀行・レジなどのカウンターやテーブル、椅子の背もたれ等に引っ掛けた時に落下しやすく、置き場に困り不便であった。【解決手段】伸縮性の高い合成ゴムで吸盤状の滑り止め具を作る。柄のデザインを考慮し、色付き以外にも無色透明な物にする。【選択図】図３
0003133096.tif 000002
【実用新案登録請求の範囲】
【請求項１】
傘や杖の取っ手の先端部に取り付けて、傘が滑るのを防止する、合成ゴムで作った吸盤状の滑り止め具。
【考案の詳細な説明】
【技術分野】
【０００１】本考案は、傘や杖を銀行などのカウンターやテーブルなどに掛ける時に落下しないようにするための滑り止めに関する。
【背景技術】
【０００２】本考案に近い文献に、『傘の滑り止め用ゴムキャップ（実用新案公開平６−６２８１４）』がある。
【考案の開示】
【考案が解決しようとする課題】
【０００３】従来のプラスチック製や木製などの滑りやすい柄の傘や杖は、銀行・レジなどのカウンターやテーブル、椅子の背もたれなどに引っ掛けた時に落下しやすく、置き場に困り不便であった。
先に示した文献では、傘や杖のデザインやファッション性、サイズを考慮して製品を作るには、多くの種類を作らなければならなくなる。また、滑りにくい材質のキャップ状の物を実際に装着するのは困難である。
【課題を解決するための手段】
【０００４】本考案では、伸縮性の高い合成ゴムで吸盤状の滑り止め具を作る。そして、色付きの物の他にも、合成ゴムの特徴を生かし無色透明な物を作る。
【考案の効果】
【０００５】摩擦度の高い合成ゴムを使用する本考案は、滑りやすい材質の傘や杖を滑りにくくする。【０００６】伸縮性の高い合成ゴムを吸盤状に加工することにより、図２のように反り返すことが可能になるので、柄の先端に容易に装着することができる。また、吸盤の特性により、空洞ができにくく密着しやすいので、先の文献と比べて、外れる可能性も格段に低くなる。そして、摩擦では外れにくい反面、取り外しも容易であるのが利点である。更にその伸縮性から、一つの大きさの製品でも、ある程度のサイズや形の柄に対応できるので効率的である。【０００７】色や絵柄があっても良いが、本考案では特に無色透明の物も提案する。無色透明なら、さまざまな色や絵柄の柄を損なわず、デザインの面で違和感がなくなる。商品化する際も非常に効率が良いし、使用者にとっても選ばなくて済むので便利である。
【考案を実施するための最良の形態】
【０００８】形状はさまざまなものが考えられるが、図のような丸みのある物のほうが、掛ける対象と柄とがどの角度で接しても順応しやすい。
【図面の簡単な説明】
【０００９】
【図１】本考案の正面図である。
【図２】本考案を反り返して柄に装着する際の図である。
【図３】装着時の図である。
【図４】使用例。
【図１】
0003133096.tif 000003
【図２】
0003133096.tif 000004
【図３】
0003133096.tif 000005
【図４】
0003133096.tif 000006
(57)【要約】      （修正有）【課題】外出時の鍵の紛失を防止する一解決方法として外出時履く靴の中に鍵の収納部を作成設置する。【解決手段】靴底に凹部を形成作成しそのくぼみ部分に鍵をいれ、鍵を入れた残りスペースを弁付き蓋で覆い、更にその上に着脱可能な中敷を敷き、鍵収納凹部の蓋や中敷はクッション性の良好な材質を用い履き心地の良い物とする。【選択図】図１
0003133093.tif 000002
【実用新案登録請求の範囲】
【請求項１】
本製品は、図１に示す如く靴の内部（中敷の下）に鍵を収容できる凹部を形成作成し、鍵を収納後凹部を弁付きの蓋部分で覆い、着脱可能な中敷を敷き、通常の靴として履くものであり、複数の鍵の収納を可能とする目的で両側に作成設置する事を特徴とする鍵収納つき靴。
【考案の詳細な説明】
【技術分野】
【０００１】  本考案は外出時に持ち歩く鍵を、その時に履く靴の中に収納可能とする、靴に関するものである。
【背景技術】
【０００２】  従来鍵は外出時バッグ，カバン等の持ち物の中か、首にかけるなどの方法で携帯してきた。
【考案の開示】
【考案が解決しようとする課題】
【０００３】  外出時自宅の鍵の携帯は必須であるが、高齢者のみならず一般人外出時の鍵の紛失や収納場所の一時的忘れにより生じる危惧を解決する一助として本品を考案した。
【課題を解決するための手段】
【０００４】  本考案は▲１▼ある程度厚みを有する靴の底に、鍵の大きさを考慮したスペースの凹部を形成作成し、▲２▼外出時持ち歩く鍵をそのくぼみに収納し、▲３▼その凹部に適合するよう形成された蓋（弁付き）で覆い、▲４▼その上に着脱可能な中敷を敷き、▲５▼通常の靴として履く。鍵収納スペースは厚みを有する蓋で覆うが、鍵の形状、大きさ等は一定していないため、蓋は鍵収納後のスペースに柔軟に対応できる材質で靴底と同質のものを用い、その上に敷く着脱可能な中敷共に歩行に適したクッション性の良好な材質を使用、高齢者や一般人が使用するウオーキングシューズが適している。凹部形成作成は踵や土踏まずにあたる部位を避けることが望ましく、また反対側の靴にも同様に作成設置し左右に各一つずつ収容可能とする。
【考案の効果】
【０００５】  急な鍵の紛失、見当たらないなど慌てることによる不安、一時的精神的ストレス次回の外出に対する懸念不安などを解決する一助となる。
【考案を実施するための最良の形態】
【０００６】  鍵収納付き靴を作成するに当たり図面を以下に示す。
【実施例】
【０００７】  図１に示す如く靴底に凹部を形成し鍵を収納する。図２はその凹部を弁付き蓋で覆う。図３はその上に着脱可能な中敷を敷き通常の靴と同様に見える。
【産業上の利用可能性】
【０００８】  高齢者のみならず一般人の外出時に鍵の紛失の危惧を有する人に使用適応可能である。また通常のウオーキングシューズなどに追加作成するものであるため、方法の困難さは少ない。またクッション性の良い材質を選択使用すれば履き心地は解決可能である。（
【図面の簡単な説明】
【０００９】
【図１】本考案の収納部付き靴の収納部に鍵を入れている。上から見た図。
【図２】同、弁付き蓋で凹部が平らになっている。
【図３】同、着脱可能な中敷を敷いている。外観は通常の靴と同じ。
【図４】同靴の側面図。
【図１】
0003133093.tif 000003
【図２】
0003133093.tif 000004
【図３】
0003133093.tif 000005
【図４】
0003133093.tif 000006
【手続補正書】
【提出日】平成18年12月7日(2006.12.7)
【手続補正１】
【補正対象書類名】実用新案登録請求の範囲
【補正対象項目名】全文
【補正方法】変更
【補正の内容】
【実用新案登録請求の範囲】
【請求項１】
クッション性を有する材質を用いた靴底に鍵を収容できる鍵収容室を設け、その部に鍵を収納し、当該収納室を開閉自在の弁付き蓋部分で蓋い、その上に着脱可能な中敷を敷いて使用する事を特徴とする鍵収納室付き靴で、複数の鍵を収納可能とする目的で両側の靴に同様に設置する。
【手続補正書】
【提出日】平成19年3月15日(2007.3.15)
【手続補正１】
【補正対象書類名】実用新案登録請求の範囲
【補正対象項目名】全文
【補正方法】変更
【補正の内容】
【実用新案登録請求の範囲】
【請求項１】
クッション性を有する材質を用いた靴底に鍵を収容できる鍵収納室を設け、その部に鍵を収納し、当該収納室を開閉自在の弁付き蓋部分で蓋い、その上に着脱可能な中敷を敷いて使用する鍵収納室付き靴であって、複数の鍵を収納可能とする目的で、鍵収納室を両側の靴に設置することを特徴とする鍵収納室付き靴。
(57)【要約】      （修正有）【課題】衣類品には、蒸れを外部に放出する素材など様々な特色の生地が使われているが、履き口や裾口及び袖口を塞ぎ、衣類品内部に空気の淀みを残して内部の蒸れが皮膚病及び不快感を与えている。この蒸れを軽減する。【解決手段】発汗作用により生じる衣類品内側の蒸れを外部に放出する為、取り付け位置が調整出来るパイプ付クリップを使う。【選択図】図２
0003133099.tif 000002
【実用新案登録請求の範囲】
【請求項１】
衣料品内部の蒸れを外部に放出する脱着可能なパイプ付クリップ装置。
【考案の詳細な説明】
【技術分野】
【０００１】  本考案は、発汗作用により生じる衣類品内の蒸れを、外部に放出する事により、皮膚に関する病気や不快感を軽減させる医療効果の有る通気補助器具である。
【背景技術】
【０００２】  季節を問わず発汗による衣類内部の蒸れにより生じる不快感やじめじめ肌から発症する様々な病床を軽減させる手立ては無いか、蒸れを外部に放出する素材の物であっても未だ効果不足であり蒸れが残る現状である。
【考案の開示】
【考案が解決しようとする課題】
【０００３】  衣類品には、蒸れを外部に放出する素材など様々な特色の生地が使われているが、履き口や裾口及び袖口を塞ぎ、衣類品内部に蒸れを残している。その為、内部の蒸れが排出出来ず、皮膚病及び不快感を与えている。前述の欠点を解決しようとする物である。
【課題を解決するための手段】
【０００４】  本考案は、発汗作用により生じる衣類品内側の蒸れを外部に放出し、衣類品への取り付け位置が自由に調整出来る事が必要である。そこで、外部放出パイプをより効果的な位置に取り付ける、固定用クリップを組み合わせ問題を解決する。
【考案の効果】
【０００５】  上述の様に、蒸れの留まる場所に排気口を取り付ける事により、蒸れの軽減が出来る。あらゆる体位において、蒸れの有る位置に移動し取り付ける事が出来る、パイプ付クリップである。外部放出パイプは、鞴作用・煙突効果を効率良く引き出す様、２本から３本で構成され、先端パイプに段差を付ける特徴（［図１］参考）を有する。また、固定用の万能クリップは、０．３ｍｍから５ｍｍまでの生地に有効で全ての衣類品に対応できる。この２つの特徴を合せる事で、効率よく蒸れを衣類品外に排出する事が出来る。
【考案を実施するための最良の形態】
【０００６】  私生活や仕事など一般活動時間。激しい運動時や睡眠時間は不適切である。
【実施例】
【０００７】  本考案のパイプ付クリップを、履き口や裾口及び袖口に取り付け、普段の生活を行い体を動かす、もしくは、静止した状態にて、鞴効果・煙突効果及びサイホンの原理が働き、蒸れを外部に自然放出出来る。激しい運動時は取り外し、運動後に取り付ける事により放出効果が上がる。使用しない時に比べ、パイプ付クリップを取り付けている場所の蒸れは軽減される。
【図面の簡単な説明】
【図１】  パイプ２本型正面図
【図２】  パイプ２本型側面図
【図３】  パイプ２本型上面図
【図４】  取り付け位置例シャツ類
【図５】  取り付け位置例ズボン類
【図６】  取り付け位置例スカート類
【符号の説明】
▲１▼  万能クリップ
▲２▼  自然排気パイプ
▲３▼  取り付け位置
【図１】
0003133099.tif 000003
【図２】
0003133099.tif 000004
【図３】
0003133099.tif 000005
【図４】
0003133099.tif 000006
【図５】
0003133099.tif 000007
【図６】
0003133099.tif 000008
【手続補正書】
【提出日】平成19年3月6日(2007.3.6)
【手続補正１】
【補正対象書類名】実用新案登録請求の範囲
【補正対象項目名】全文
【補正方法】変更
【補正の内容】
【実用新案登録請求の範囲】
【請求項１】
蒸れの有る位置に移動し取り付ける事が出来る固定用の万能クリップは、０．３ｍｍから５ｍｍまでの生地に対応できる物を使用し外部放出パイプは、鞴作用・煙突効果を効率良く引き出す様、２本〜３本で構成され、先端パイプに段差を付ける特徴（［図１］参考）を有し、体の大きさ（身長・体重）や衣類の形等によりパイプの長さを個人に合わせる必要性が有り、長さは２０ｃｍからの調整カット式を採用し、固定用クリップと外部放出パイプの２つの特徴を合せる事で普段の生活時もしくは、静止した状態にて、鞴効果や煙突効果及びサイホンの原理が働き、蒸れを外部に自然放出出来る脱着移動可能なパイプ付クリップである。
(57)【要約】      （修正有）【課題】前ページを捲らなければ参照出来ない現在のノート煩わしさの解決  同時により多くのページに読み書きしたい。【解決手段】ノートを現在の１ページ毎にめくるスタイルから、シートを引抜くスタイルにする引抜きスタイルにしても、簡単に離れ落ちない様に折り目をつけ、切り込みを入れる。【選択図】図２
0003133089.tif 000002
【実用新案登録請求の範囲】
【請求項１】
記入式シートの引抜き式
【請求項２】
引抜いても、簡単には離れない様に、折り目を付ける
【請求項３】
図３に示す、シートの形状
【請求項４】
図１から図５に示す時減流フィードバックフォロー帳の考案
【考案の詳細な説明】
【技術分野】
【０００１】記入式ノートと樹脂製品を組合せる
【背景技術】
【０００２】製紙＋印刷＋裁断＋樹脂加工＋組立＋製本
【考案の開示】
【考案が解決しようとする課題】
【０００３】計画性、目標、時の流れに対する自意識、行動力の育成
【課題を解決するための手段】
【０００４】ノートを現在の１ページ毎にめくるスタイルから、引抜き式にする
引抜いても、簡単には離れない様に、折り目を付ける
引抜、新に記入を始める時、前回の記入事項がそのまま残る
フォローを終えたシートは、そのまま抜取り、最終ページに挿入する
【図面の簡単な説明】
【０００５】
【図１】
0003133089.tif 000003
【図２】
0003133089.tif 000004
【図３】
0003133089.tif 000005
【図４】
0003133089.tif 000006
【図５】
0003133089.tif 000007
【手続補正書】
【提出日】平成18年2月21日(2006.2.21)
【手続補正１】
【補正対象書類名】実用新案登録請求の範囲
【補正対象項目名】全文
【補正方法】変更
【補正の内容】
【実用新案登録請求の範囲】
【請求項１】
記入式シートのフィードバック式システム帳
【請求項２】
シートを引抜いても、簡単には離れないフィードバック式システム帳
【請求項３】
簡単に挿入出来るよう先端をカットしたフィードバックシートを使用する事を特徴とするフィードバック式システム帳
【請求項４】
フィードバックシート＋引抜き式ノート＝同時に前頁の参照が可能にしフィードバックシートの先端のカットにより、選択、選別時の挿入を簡単にしたフィードバック式システム帳の考案
【手続補正２】
【補正対象書類名】明細書
【補正対象項目名】０００５
【補正方法】変更
【補正の内容】
【０００５】
0003133089.tif 000008
0003133089.tif 000009
0003133089.tif 000010
【手続補正書】
【提出日】平成18年4月27日(2006.4.27)
【手続補正１】
【補正対象書類名】実用新案登録請求の範囲
【補正対象項目名】全文
【補正方法】変更
【補正の内容】
【実用新案登録請求の範囲】
【請求項１】
引抜き時に同時に３ページに記入、参照が可能な形状、構造を有するフィードバック式システム帳
【請求項２】
請求項３のシートを固定せずシリンダーで挟み簡単に引抜ける構造、形状をしたフィードバック式システム帳からシートが簡単に脱落しない様、シートの両端に折癖を付けた形状、構造を有するフィードバック式システム帳
【請求項３】
図３に示す、シートの形状を有するフィードバック式システム帳
【請求項４】
請求項１から請求項３に示した、形状、構造を組合せた時減流フィードバックフォロー帳の考案
【手続補正書】
【提出日】平成18年7月1日(2006.7.1)
【手続補正１】
【補正対象書類名】実用新案登録請求の範囲
【補正対象項目名】全文
【補正方法】変更
【補正の内容】
【実用新案登録請求の範囲】
【請求項１】
開閉ページ型シートの中央及び左右両端に折癖を付けずり落ち難い様にＶ型の切り込みを入れた形状を有するフィードバック式システム帳
【請求項２】
請求項１の形状を持つ開閉ページ型シートを使用して
開閉ページ型シートを横にスライドする事により２枚の開閉ページ型シートの３ページ分が見開きページスタイルで同時に見る事が出来る様に開閉ページ型シートを糸や接着剤等で完全に固定しないで開閉ページ型シート中央をシリンダーで挟み自由にシートがスライド出来る構造を有するフィードバック式システム帳
【請求項３】
請求項１、請求項２の形状、構造を組み合わせた時減流フィードバック式システム帳の考案
【手続補正書】
【提出日】平成18年9月15日(2006.9.15)
【手続補正１】
【補正対象書類名】実用新案登録請求の範囲
【補正対象項目名】全文
【補正方法】変更
【補正の内容】
【実用新案登録請求の範囲】
【請求項１】
開閉ページ型シートの中央及び左右両端に折癖を付けずり落ち難い様にＶ型の切り込み入れた形状を有するフィードバック式システム帳
【請求項２】
請求項１の形状を持つ開閉ページ型シートを使用して開閉ページ型シートを横にスライドする事により２枚の開閉ページ型シートの３ページ分見開きページスタイルで同時に見る事が出来る様に開閉ページ型シートを糸や接着剤完全に固定しないで開閉ページ型シート中央をシリンダーで挟み自由にシートがスライ構造を有するフィードバック式システム帳
【手続補正書】
【提出日】平成18年11月20日(2006.11.20)
【手続補正１】
【補正対象書類名】明細書
【補正対象項目名】０００５
【補正方法】変更
【補正の内容】
【０００５】
【図１】  フィードバックシートが左右に自在に移動させることが可能なことを示す
【図２】  フィードバックシートを移動させ他のシートと同時に記入、参照が可能なことを示す
【図３】  フィードバックシートの形状を示す
【図４】  図２を上の方向から見た構造を示す
【図５】  図１の状態のものを閉じた状態で上から見た構造を示す
【手続補正書】
【提出日】平成18年11月20日(2006.11.20)
【手続補正１】
【補正対象書類名】実用新案登録請求の範囲
【補正対象項目名】全文
【補正方法】変更
【補正の内容】
【実用新案登録請求の範囲】
【請求項１】
開閉ページ型シートの中央及び左右両端に折癖を付けずり落ち難い様にＶ型の切り込みを入れた形状を有するフィードバック式システム帳
【請求項２】
請求項１の形状を持つ開閉ページ型シートを使用して
開閉ページ型シートを横にスライドする事により２枚の開閉ページ型シートの３ページ分が見開きページスタイルで同時に見る事が出来る様に開閉ページ型シートを糸や接着剤等で完全に固定しないで開閉ページ型シート中央をシリンダーで挟み自由にシートがスライド出来る構造を有するフィードバック式システム帳
(57)【要約】      （修正有）【課題】軽量・安価で見栄えが良く、片手で傘を差した状態で足元を明るく照らす事が出来る照明灯付傘を提供する。【解決手段】傘本体と、傘の取手部１に設けた乾電池ＢＡと、点灯回路を構成する発光装置２を組合せて成り、且つ、点灯及び消灯時は、発光装置のヘッドキャップ部２ａを右回動又は左回動させて使用するものである。又、発光装置の点灯方向を、傘取手部の下方に向けて設ける。【選択図】図３
0003133032.tif 000002
【実用新案登録請求の範囲】
【請求項１】
傘本体（３）の支棒（３ａ）の末端部に装着される取手部（１）であって、該取手部（１）に、電池（ＢＡ）と点灯回路を構成する発光装置（２）とを組合せて設け、点灯回路の点灯及び消灯時を、発光装置（２）のヘッドキャップ部（２ａ）を右回動又は左回動させて使用する事を特徴とする照明灯付傘。
【考案の詳細な説明】
【技術分野】
【０００１】
この考案は、照明灯付傘に関するものである。
【背景技術】
【０００２】
従来、傘と照明灯（照明装置）は別個の機能を有し、単独の物として取り扱っていた。しかし、雨の降る夜道等で片手に荷物を持って、反対の手で傘を差すと両手が塞がって、照明灯を持つ事は不可能と成り、逆に片手に照明灯を持って、反対の手で傘を差すと荷物が持てない。又、暗闇で照明灯を持たずに無理をして、両手が塞がった状態で夜道を歩行すると、躓いたり、交通事故を起こす等の問題が発生する。
【０００３】
従って、上記の問題を解決する為に、片手で傘と照明灯が同時に持てる照明灯付傘の開発が望まれている。
【０００４】
又、これまでに出願されているライト付傘の特許文献を参考の為、紹介する。（特許文献１〜３参照。）
【特許文献１】実願平４−０８７１５６
【特許文献２】実願平４−０９０３１７
【特許文献３】実願平８−０００２１７
【考案の開示】
【考案が解決しようとする課題】
【０００５】
そこで、上記課題を解決する為に、この考案は軽量・安価で見栄えが良く、片手で傘を差した状態で足元を明るく照らす事が出来る照明灯付傘を開発・提供する事にある。
【課題を解決するための手段】
【０００６】
この課題を解決する為の手段として、取手部に、電池と点灯回路を構成する発光装置とを組合せて設け、点灯回路の点灯及び消灯時を、発光装置のヘッドキャップ部を右回動又は左回動させて使用するものである。
【考案の効果】
【０００７】
この考案の効果として、取手部に、電池と点灯回路を構成する発光装置とを組合せて設け、点灯回路の点灯及び消灯時を、発光装置のヘッドキャップ部を右回動又は左回動させて使用する事で、雨降りの夜道等、ドライバーに対して歩行者の存在を知らしめると同時に、歩行者も足元を照らす為、安全に安心して歩行出来、しかも軽量・安価で誰でも簡単に取り扱える等、極めて有益なる効果を奏するものである。
【考案を実施するための最良の形態】
【０００８】
この考案の最良の形態として、取手部の大きさと長さ寸法は片手でも楽に握れる最適寸法を設定し、取手部の材質も軽量・安価で耐磨耗性の優れた材質を選定し、且つ、高性能で耐候性・防湿性に優れた発光装置を装着する事が望ましい。
【実施例１】
【０００９】
そこで、この考案の一実施例を図１〜図３に基づいて詳述すると、  傘本体（３）の支棒（３ａ）の末端部に装着される取手部（１）であって、該取手部（１）に、電池（ＢＡ）と点灯回路を構成する発光装置（２）とを組合せて設け、点灯回路の点灯及び消灯時を、発光装置（２）のヘッドキャップ部（２ａ）を右回動又は左回動させて使用する事を特徴とする照明灯付傘から構成される。
【００１０】
次に、この考案の構成部品及び内部構造について説明すると、まず、構成部品は大きく分けて傘本体（３）の支棒（３ａ）の末端に装着される取手部（１）に、電池（ＢＡ）と点灯回路を構成する発光装置（２）を組合せて設けたものである。
【００１１】
従って、傘取手部（１）の上端中心部には、傘本体の支棒（３ａ）を螺着する為の雌ネジ（１ｃ）を設け、且つ、下端中心部には発光装置（２）のヘッドキャップ部（２ａ）を螺着する為の雌ネジ部（１ａ）を設け、且つ、該雌ネジ部の上端部には＋端子板（１ｂ）を挿着して設け、又、発光装置（２）は上下二分割したヘッドキャップ部（２ａ）の上端部には、取手部に螺着する為の雄ネジ部（２ａ’）を設け、且つ、中心中程には＋端子板（１ｂ）に連結して設けたリード線・ソケット付発光ダイオード（２ｄ）を設け、且つ、該ヘッドキャップ部（２ａ）の下端部中心には、発光ダイオードが放った光を拡大増幅する為のレンズ（２ｂ）を挿着して設けている。
【００１２】
次に、傘の取手部に発光装置を取り付ける為の組立手順を説明すると、図２に示す様に、まず、最初に電池（ＣＲ２０１６×２個）の＋側を上方向にし、又、−側を下方向に重合してヘッドキャップ部（２ａ）の上部収納部に収納する。そして、電池（ＢＡ）の入ったヘッドキャップ（２）を右回転させながら傘の取手ネジ部（１ａ）に螺着する。
【００１３】
そして、使用する時は、図４に示す様にキャップを右方向に回動すると＋端子板（１ｂ）と−端子板が電池の端子部と接触し通電され、発光ダイオード（２ｄ）が点灯する。又、キャップを逆の左方向に回動すると電池の＋端子部が＋端子板（１ｂ）から離れ消灯する。
【産業上の利用可能性】
【００１４】
この考案の照明灯付傘は、軽量・安価で見栄えが良く、片手で傘を差した状態で足元を明るく照らす事が出来る為、多くの市場に寄与する点で産業上の利用可能性を有する。
【図面の簡単な説明】
【００１５】
【図１】この考案の一実施例を示し、取手部と電池とヘッドキャップ部を分解時の断面図である。
【図２】この考案の一実施例を示し、傘取手部の組立手順を示す断面図である。
【図３】この考案の一実施例を示し、傘取手部の組立完成時の断面図である。
【図４】この考案の使用例を示し、取り扱い要領を示す正面図である。
【符号の説明】
【００１６】
１  取手部
１ａ  ヘッドキャップ螺着用雌ネジ部
１ｂ  ＋端子板
１ｃ  支棒螺着用雌ネジ
２  発光装置
２ａ  ヘッドキャップ部
２ａ’  ヘッドキャップ螺着用雄ネジ部
２ｂ  レンズ
２ｃ  −端子板
２ｄ  発光ダイオード
３  傘本体
３ａ  支棒
３ｂ  支棒螺着用雄ネジ
ＢＡ  電池
【図１】
0003133032.tif 000003
【図２】
0003133032.tif 000004
【図３】
0003133032.tif 000005
【図４】
0003133032.tif 000006
(57)【要約】      （修正有）【課題】いつでも見れる身近なところにおくことができ、かつ、この般若心経の文字列は夜間に光って見える刺繍糸により刺繍され、額装品に般若心経の文字列が刺繍されていることにより、般若心経の文字列を昼間においては何ら違和感なく見ることができ、夜間においても、般若心経を鮮明に見ることができ、数ある経典のなかでも最も有名なお経である般若心経をいつでも見ることができるようにする。【解決手段】少なくとも、額縁体２、透明板３、装飾シート及び裏板からなる額装品１において、装飾シートは基布体６ａに般若心経の文字列６ｂを刺繍してなり、かつ、文字列は夜間に光って見える刺繍糸により刺繍される。【選択図】図１
0003133021.tif 000002
【実用新案登録請求の範囲】
【請求項１】
少なくとも、額縁体、透明板、装飾シート及び裏板からなる額装品において、上記装飾シートは基布体に般若心経の文字列を刺繍してなり、かつ、該文字列は夜間に光って見える刺繍糸により刺繍されていることを特徴とする額装品。
【請求項２】
上記刺繍糸は蓄光糸又は蛍光糸、若しくはこれらの複合糸であることを特徴とする請求項１記載の般若心経を表示した額装品。
【考案の詳細な説明】
【技術分野】
【０００１】
本考案は般若心経を表示した額装品に関するものである。
【背景技術】
【０００２】
従来、この種の額装品として、額縁体、透明板、写真や絵などの装飾シート及び裏板からなる構造のものが知られている。
【特許文献１】特開平１１−１３７３９０号公報
【考案の開示】
【考案が解決しようとする課題】
【０００３】
しかしながらこれら額装品として般若心経を装飾要素としたものは存在しておらず、この般若心経は数ある経典のなかでも最も有名なお経であり、写経にもよく用いられ、すべての人々に向かって説かれている宗派を超えた革新的な経典であるとされる般若心経をいつでも見れる身近なところにおきたいという強い要望もある。
【課題を解決するための手段】
【０００４】
本考案はこれらの不都合を解決することを目的とするもので、本考案のうちで、請求項１記載の考案は、少なくとも、額縁体、透明板、装飾シート及び裏板からなる額装品において、上記装飾シートは基布体に般若心経の文字列を刺繍してなり、かつ、該文字列は夜間に光って見える刺繍糸により刺繍されていることを特徴とする額装品にある。
【０００５】
又、請求項２記載の考案は、上記刺繍糸は蓄光糸又は蛍光糸、若しくはこれらの複合糸であることを特徴とするものである。
【考案の効果】
【０００６】
本考案は上述の如く、請求項１記載の考案にあっては、少なくとも、額縁体、透明板、装飾シート及び裏板からなる額装品における装飾シートは基布体に般若心経の文字列を刺繍して形成され、般若心経の文字列により極めて斬新な意匠感を惹起する額装品を提供することができ、よって、いつでも見れる身近なところにおくことができ、かつ、この般若心経の文字列は夜間に光って見える刺繍糸により刺繍され、額装品に般若心経の文字列が刺繍されていることにより、般若心経の文字列を昼間においては何ら違和感なく見ることができ、夜間においても、般若心経を鮮明に見ることができ、数ある経典のなかでも最も有名なお経である般若心経をいつでも見ることができる。
【０００７】
又、請求項２記載の考案にあっては、上記刺繍糸は蓄光糸又は蛍光糸、或いはこれらの複合糸であるから、発光機能をもつ刺繍糸を容易に入手することができ、よって、製作が容易であると共に製作コストを低減することができる。
【考案を実施するための最良の形態】
【０００８】
図１乃至図４は本考案の実施の形態例を示し、１は額装品であって、この場合、木製、合成樹脂製、金属製などの額縁体２、ガラス、透明合成樹脂製などの透明板３、大きな開口部４ａをもつ合板製の枠体４、小さな開口部５ａをもつ枠体５、装飾シート６、合板等からなる裏板７及び図示省略の押さえ具からなる。
【０００９】
この場合、上記枠体４の表面には金色系統の薄い布や紙材が貼着され、又、上記枠体５の表面には赤色系統の薄い布や紙材が貼着されている。
【００１０】
そして、上記装飾シート６は、基布体６ａに摩詞般若波羅密多心経・・・の文字からなる般若心経の文字列６ｂを刺繍ミシンなどにより刺繍してなり、この文字列６ｂは夜間に光って見える白色系の刺繍糸Ｋにより刺繍されている。
【００１１】
この場合、上記基布体６ａは黒色系統の織物が用いられている。
【００１２】
この刺繍糸Ｋとしては、蓄光機能をもつ蓄光糸又は蛍光機能をもつ蛍光糸、若しくはこれらの複合糸が用いられ、これら蓄光糸又は蛍光糸、若しくはこれらの複合糸による刺繍によって、般若心経の文字列６ｂは夜間に光って見えることになる。
【００１３】
この実施の形態例は上記構成であるから、少なくとも、額縁体２、透明板３、装飾シート６及び裏板７からなる額装品１における装飾シート６は基布体６ａに般若心経の文字列６ｂを刺繍して形成され、般若心経の文字列６ｂにより極めて斬新な意匠感を惹起する額装品１を提供することができ、よって、いつでも見れる身近なところにおくことができ、かつ、この般若心経の文字列６ｂは夜間に光って見える刺繍糸Ｋにより刺繍され、額装品１に般若心経の文字列６ｂが刺繍されていることにより、般若心経の文字列６ｂを昼間においては何ら違和感なく見ることができ、夜間においても、般若心経を鮮明に見ることができ、数ある経典のなかでも最も有名なお経である般若心経をいつでも見ることができる。
【００１４】
又、この場合、上記刺繍糸Ｋは蓄光糸又は蛍光糸、或いはこれらの複合糸であるから、発光機能をもつ刺繍糸を容易に入手することができ、よって、製作が容易であると共に製作コストを低減することができる。
【００１５】
尚、本考案は上記実施の形態例に限られるものではなく、例えば、額装品１の構造や形態、色、大きさ、材質、並びに刺繍糸Ｋの材質や太さは適宜変更して設計されるものである。
【００１６】
以上、所期の目的を充分達成することができる。
【図面の簡単な説明】
【００１７】
【図１】本考案の実施の形態例の全体正面図である。
【図２】本考案の実施の形態例の部分拡大正面図である。
【図３】本考案の実施の形態例の分解斜視図である。
【図４】本考案の実施の形態例の断面図である。
【符号の説明】
【００１８】
Ｋ    刺繍糸
１    額装品
２    額縁体
３    透明板
６    装飾シート
６ａ    基布体
６ｂ    文字列
７    裏板
【図１】
0003133021.tif 000003
【図２】
0003133021.tif 000004
【図３】
0003133021.tif 000005
【図４】
0003133021.tif 000006
(57)【要約】      （修正有）【課題】回転式廃棄物乾燥装置により廃棄物を加熱乾燥させる際に廃棄物の塊化を防止し乾燥と同時にバクテリアを死滅させる。【解決手段】過熱水蒸気を熱源とする回転式廃棄物乾燥装置において、過熱水蒸気を回転ドラム内に供給する経路を攪拌棒内に配置することにより、堆積した廃棄物をドラム内に飛散拡散させ加熱乾燥させることで確実にバクテリアを死滅させる。【選択図】図１
0003133024.tif 000002
【実用新案登録請求の範囲】
【請求項１】
回転式廃棄物乾燥装置において過熱水蒸気供給吹込み管が被乾燥物攪拌棒を兼ねることで被乾燥物を飛散拡散させながら被乾燥物内のバクテリアを死滅させる乾燥装置
【考案の詳細な説明】
【技術分野】
【０００１】
本考案は、回転式乾燥装置において被乾燥物攪拌棒が乾燥熱源としての過熱水蒸気供給管を兼ねる乾燥装置に関するものである。
【背景技術】
【０００２】
従来の回転式廃棄物乾燥装置において粒あるいはバラ状の被乾燥物を乾燥させる際に乾燥ドラム内に単に過熱水蒸気を供給し被乾燥物の攪拌は専らドラム内面に加工された造作の構造によるものである。
【０００３】
被乾燥物である廃棄物内のバクテリアは摂氏７５℃以上で１分以上保持されると死滅する。
【考案の開示】
【考案が解決しようとする課題】
【０００４】
解決しようとする問題点は、被乾燥物を堆積した状態で加熱すると塊状になり内部への熱伝達が十分に行えずバクテリアが残存することにある。
【課題を解決するための手段】
【０００５】
本考案は、廃棄物を乾燥装置ドラム内に投入すると従来のドラム内の造作によって攪拌されると同時に過熱水蒸気の供給管を兼ねる攪拌棒より噴出する過熱蒸気によりドラム内の過熱水蒸気の雰囲気内に飛散攪拌し被乾燥物の塊化を防止するとともに熱伝達速度を向上させバクテリアを死滅させようとするものである。
【考案の効果】
【０００６】
本考案の過熱水蒸気供給吹込み管は攪拌棒を兼ねることで堆積した廃棄物内に直接、過熱水蒸気を供給することで廃棄物を粒あるいはバラ状のままドラム内の過熱水蒸気の雰囲気内に飛散拡散させることにより廃棄物が塊化し内部への熱伝達が十分に行われずバクテリアが残存することを防止することができる。
【考案を実施するための最良の形態】
【０００７】
過熱水蒸気をドラム内に供給する親管をドラム回転軸中心に伸ばし攪拌棒を兼ねる供給枝管をドラム下方に向けて配置することで廃棄物が堆積する内部に直接、過熱水蒸気を供給すると共に噴出する過熱水蒸気により廃棄物を飛散拡散することで廃棄物を加熱乾燥することでバクテリアも死滅せしめることができる。
【実施例】
【０００８】
図１は、本考案装置の実施例の断面図であって中心に位置する過熱蒸気吹込み主管を通った過熱蒸気は主管に接続された複数の枝管より廃棄物の堆積した内部で噴出することで廃棄物を飛散拡散させる。
【０００９】
図２は、乾燥機本体を示す外観構造図であってドラムの回転により内部で攪拌されている廃棄物をさらに加熱熱源である過熱蒸気によって飛散拡散しながら乾燥と同時にバクテリアを死滅させる。
【００１０】
図３は、本考案装置の実施状況を示す概略構造図であって回転ドラム内に放出された過熱蒸気は余剰圧力分をのぞいて循環利用される。
【図面の簡単な説明】
【００１１】
【図１】本考案の回転式廃棄物乾燥装置の実施方法を示した断面構造説明図である。（実施例）
【図２】回転式廃棄物乾燥装置の実施方法を示した外観構造説明図である。（実施例）
【図３】本考案の実施状況を示した概略構造図である。
【符号の説明】
【００１２】
１    回転ドラム本体
２    過熱蒸気吹込み主管
３    過熱蒸気吹込み枝管
【図１】
0003133024.tif 000003
【図２】
0003133024.tif 000004
【図３】
0003133024.tif 000005
(57)【要約】      （修正有）【課題】往復葉書で秘匿すべき情報を含む内容を郵送する場合に不特定な外部への秘匿すべき情報の漏洩の防止に関するものであり、これまでの安易な再貼り付け可能な保護シールによる防犯機能の低下を改善し、封書としての発送による封入費及び郵送費を節約する。【解決手段】秘匿すべき情報の記載された紙面上に剥離紙付きで秘匿すべき情報の記載エリアを覆うのに充分な面積を有する再貼り付け不能な保護シート２の上に置き、前記保護シートより大きいサイズの再貼り付け不能な保護シート３を重ねて貼り付ける。【選択図】図１
0003133048.tif 000002
【実用新案登録請求の範囲】
【請求項１】
秘匿すべき情報の記載された紙面上に剥離紙付きで秘匿すべき情報の記載エリアを覆うのに充分な面積を有する再貼り付け不能な保護シートを置き、その上に前記保護シートより大きいサイズの再貼り付け不能な保護シートを重ねて貼り付けたことを特徴とする往復葉書。
【考案の詳細な説明】
【技術分野】
【０００１】
本考案は、郵便葉書で秘匿すべき情報を郵送する際に用いるものであり、特に往復葉書用に使用することを目的としたものである。
【背景技術】
【０００２】
従来、秘匿すべき情報を含む内容を通常の葉書で郵送する場合は再貼り付け不能な保護シールを貼り付けることによって不特定な外部への秘匿すべき情報の漏洩を防止するものが用いられている。  しかし、この方式は往復葉書によって着信時に該秘匿すべき情報を確認して返信するごとき場合には使用することがことは出来ない。  従って該葉書と剥離紙付きの再貼り付け不能な保護シールを封書によって送付することとなっていた為に大量の件数を処理する為には、封筒への挿入工数及び郵送費に多くの費用を費やしていた。
【特許文献１】特開２００２―００６７４４
【０００３】
対策技術としては、再貼り付け可能な保護シールを用いたものがあるが、この方式は実際に何処で開閉されたかの特定が出来ない為に秘匿すべき情報の保護のための効果は大幅に縮小される。
【特許文献２】特開２００３―２４６１６９  通常の葉書に対する写真などの添付方式としては粘着シートを利用した方式があるが、本願のごとき往復葉書用に使用できる機能を備えたものではない。
【特許文献３】実登２５７６８９１
【考案の開示】
【考案が解決しようとする課題】
【０００４】
本考案が解決しようとする課題は、これまで困難だった往復葉書の秘匿すべき情報の保護を可能にすること及び、封書による場合に比べて封筒への挿入工数及び郵送費を大幅に縮小することである。
【課題を解決するための手段】
【０００５】
本考案は、上記背景の下に成立するものであり、本考案の手段は、秘匿すべき情報の記載された紙面上に剥離紙付きで秘匿すべき情報の記載エリアを覆うのに充分な面積を有する再貼り付け不能な保護シートを置き、その上に前記保護シートより大きいサイズの再貼り付け不能な保護シートを重ねて貼り付けたことを特徴とする往復葉書を提供するものである。
【考案の効果】
【０００６】
本考案は、これまで困難だった往復葉書の秘匿すべき情報の保護を可能にするものであり、更に封書による場合に比べて封筒への挿入工数及び郵送費を大幅に縮小できるものである。
【考案を実施するための最良の形態】
【０００７】
本考案の往復葉書の構成は、秘匿すべき情報の記載された紙面上に剥離紙付きで秘匿すべき情報の記載エリアを覆うのに充分な面積を有する再貼り付け不能な保護シートを置き、その上に前記の保護シートより大きいサイズの再貼り付け不能な保護シートを重ねて貼り付けたものである。
【実施例１】
【０００８】
以下図について本考案の実施形態について説明する。
図１は本考案の一実施形態の送信時の構造を示す分解斜視図であり、図２は返信時の状態を示す分解斜視図である。
図１及び図２において、往復葉書１のＡ面には秘匿すべき情報が記載されており、着信時に受取人が内容を確認して追加情報を記載し返信するごとき用途に使用されるものである。  ２は下面に剥離紙を有する再貼り付け不能の保護シールであり、秘匿すべき情報の記載エリアを覆うのに充分な面積を有するものである。  ３は再貼り付け不能の保護シールであり、サイズは保護シール２よりも縦横とも一回り大きなものである。  ４はミシン目であり、不要な半分を返信時に切り離し通常葉書とする為のものである。
【０００９】
図１及び図２に示す本考案の作用について説明する。
今、送信時には下面に剥離紙を有する再貼り付け不能の保護シール２を秘匿すべき情報が記載されたＡ面上に置いてサイズの大きな再貼り付け不能の保護シール３を貼り付けた状態で送信する。  保護シート３は保護シート２より縦横のサイズが大きいので周辺部がＡ面に直接張り付いて充分な保護機能を持つことが出来る。  着信時には受信者が保護シール３を剥がすことで保護シール２も保護シール３に張り付いたままＡ面からはがれるので、その状態で受信者は秘匿された情報を確認し、追加事項を記入した上で保護シール３からはがした保護シール２の剥離紙を取り去って再びＡ面の秘匿すべき情報の上に貼り付けて返信する。
【００１０】
このように使用することによって、送信時には保護シート３が不特定な人によって剥がされると再貼り付けが出来ない為何処で剥がされたかを特定することが出来ることとなり犯罪の有無が明確になり、その調査も容易になるために実質的には犯罪を予防することが出来る。  返信時には保護シール２が同様に秘匿すべき情報を覆い秘匿すべき情報を保護する事が出来る。
【００１１】
しかも、この往復葉書は送信時にも封筒への書類の挿入や封止の為の工数を削減できるだけでなく、往復葉書として送信できるので封書に比べて郵送費も節約することが出来ることとなる。  尚、秘匿すべき情報の記入エリアを小さく纏めることで保護シートのサイズを全体に小型化することは更にコストダウンに繋がることは云うまでもない。
【００１２】
以上の説明で明らかなごとく、本考案の保護シール付き往復葉書は、往復葉書の秘匿すべき情報の保護を可能にするものであり、封書による場合に比べてその費用を大幅に縮小できるものであり実用的な効果は極めて著しい。
【図面の簡単な説明】
【００１３】
【図１】本考案の一実施形態の送信時の構造を示す分解斜視図である。
【図２】本考案の一実施形態の返信時の状態を示す分解斜視図である。
【符号の説明】
【００１４】
１：往復葉書
２：保護シール
３：保護シール
４：ミシン目
【図１】
0003133048.tif 000003
【図２】
0003133048.tif 000004